(57)【要約】【課題】検知温度を安定化させると共に、表面に付着したオフセットトナーに影響されず、小型化に適した定着装置および画像形成装置を提供する。【解決手段】定着装置であって、第１の回転体と、前記第１の回転体に対向し前記第１の回転体と共に記録材上のトナー像を定着する定着ニップ部を形成する対向体と、前記第１の回転体を挟んで前記定着ニップ部と反対側に設けられる摺動板と、前記摺動板を加圧する加圧支持体と、前記加圧支持体と前記第１の回転体との間を断熱する断熱部材と、前記第１の回転体の内側に設けられる輻射発熱体と、前記断熱部材に保持され、前記輻射発熱体からの熱が遮蔽された状態で、前記第１の回転体の温度を検知する温度検知手段と、を有する。【選択図】 図１
2015172672.tif 000002
【特許請求の範囲】
【請求項１】
第１の回転体と、
前記第１の回転体に対向し前記第１の回転体と共に記録材上のトナー像を定着する定着ニップ部を形成する対向体と、
前記第１の回転体を挟んで前記定着ニップ部と反対側に設けられる摺動板と、
前記摺動板を加圧する加圧支持体と、
前記加圧支持体と前記第１の回転体との間を断熱する断熱部材と、
前記第１の回転体の内側に設けられる輻射発熱体と、
前記断熱部材に保持され、前記輻射発熱体からの熱が遮蔽された状態で、前記第１の回転体の温度を検知する温度検知手段と、
を有することを特徴とする定着装置。
【請求項２】
前記輻射発熱体と前記断熱部材との間にあって、前記輻射発熱体からの輻射光を遮断もしくは反射して熱遮蔽する熱遮蔽部材を有することを特徴とする請求項１に記載の定着装置。
【請求項３】
前記温度検知手段の温度検知部は、前記定着ニップ部の下流側に設けられることを特徴とする請求項１または２に記載の定着装置。
【請求項４】
前記熱遮蔽部材は、前記温度検知手段を設定する側で前記第１の回転体との近接位置まで伸びて先端部に丸め加工もしくは曲げ加工が施され、かつ長手方向に渡って設けられることを特徴とする請求項２に記載の定着装置。
【請求項５】
前記加圧支持体は、前記温度検知手段を設定する側で前記第１の回転体との近接位置まで伸びて先端部に丸め加工が施され、かつ長手方向に渡って設けられることを特徴とする請求項１乃至３のいずれか１項に記載の定着装置。
【請求項６】
前記断熱部材は、前記温度検知手段を設定する側で前記第１の回転体との近接位置まで伸びて先端部に丸め加工が施され、かつ長手方向に渡って設けられることを特徴とする請求項１乃至３のいずれか１項に記載の定着装置。
【請求項７】
前記温度検知手段は、取り付け台座と、信号配線と、温度検知部とを備え、
前記断熱部材は、前記取り付け台座と、前記信号配線と、前記温度検知部が夫々挿入される夫々の開口部を有することを特徴とする請求項１乃至６のいずれか１項に記載の定着装置。
【請求項８】
前記取り付け台座、前記信号配線が夫々前記開口部に挿入され、夫々の上蓋が被せられた状態で前記上蓋が前記加圧支持体によって加圧固定されることを特徴とする請求項７に記載の定着装置。
【請求項９】
前記取り付け台座が挿入される前記開口部は、前記断熱部材の底部に横向きに設けられることを特徴とする請求項７または８に記載の定着装置。
【請求項１０】
前記取り付け台座が挿入される前記開口部は、前記断熱部材の側壁部に縦向きに設けられることを特徴とする請求項７または８に記載の定着装置。
【請求項１１】
前記取り付け台座は、前記加圧支持体の側壁部に形成された突起によって加圧固定されることを特徴とする請求項１０に記載の定着装置。
【請求項１２】
静電潜像が形成される像担持体と、
前記像担持体の静電潜像を現像剤で現像する現像装置と、
前記像担持体の現像剤画像を記録材に転写する転写装置と、
前記記録材上の現像剤画像を定着する請求項１乃至１１のいずれか１項に記載の定着装置と、
を有することを特徴とする画像形成装置。
【発明の詳細な説明】
【技術分野】
【０００１】
本発明はプリンタ、複写機、ファクシミリ等の電子写真方式の画像形成装置における定着装置および画像形成装置に関する。
【背景技術】
【０００２】
従来、電子写真方式を用いたプリンタ、複写機、ファクシミリ等の装置では、トナーを現像剤とし、静電的画像形成手段により、記録材上にトナー像を形成した後、定着手段によって記録材を加熱及び加圧してトナー像を溶融固着させて画像形成させている。
【０００３】
近年、従来のセラミックヒータの機能を置き換えるように、定着ニップ部に被加熱金属板を配置し、これをハロゲンヒータで非接触に集中加熱することで、立上げの高速化が図られるハロゲンヒータ式フィルム加熱型定着装置が提案されている（特許文献１、２）。
【０００４】
図７（Ａ）に、このハロゲンヒータ式フィルム加熱型定着装置１２ｃの断面図を示す。この定着装置１２ｃでは、加圧回転体には加圧ローラ１４、ヒータとして熱ローラ方式のハロゲンヒータ１３ａを使用する。そして、定着回転体として内面にハロゲンヒータ１３ａの輻射光の吸収効率を向上するための耐熱性黒色塗料を塗装した定着フィルム１３”を用いる。そして、定着装置１２ｃは、更に定着フィルム１３”の表面に加圧当接する外部当接型サーミスタ１３ｄ、金属加圧ステー１６とフィルムガイド１７、熱遮蔽部材１８、加圧摺動板１９を備えている。
【０００５】
各構成要素の特徴として、まず、ハロゲンヒータ用金属加圧ステー１６は、図７（Ｂ）の斜視図のようになっており、中心部に配置されるハロゲンヒータ１３ａの輻射光を定着フィルム１３”の内面により多く照射する。このため、定着ニップ部の前後に形成されるフィルムガイド部材と重なる部分と左右端部のアーチ部を除いた中央部の上半分は、切り欠かれて開放されている。また、加圧部は定着ニップ部の中央側に向かう折り曲げ部を介した平面部で加圧され、定着ニップ部の中央部には長手方向に沿ってスリットが形成されている。
【０００６】
一方、フィルムガイド１７は、図７（Ｃ）の斜視図に示す通り、定着ニップの中央部に長手方向に沿ってスリット部が形成され、左右の部材をつなぐ下方アーチ部が左右端部に設けられている。この定着装置構成では、金属加圧ステー１６の定着ニップ面の接触面積が大きいため、熱容量の大きな加圧ステーに定着フィルムの熱が奪われて昇温性能が低下しないように、耐熱性樹脂で構成されるフィルムガイド１７では特に断熱部材としての役割が重視される。
【０００７】
上記の各中央スリット部及び下方アーチ部には、図７（Ｄ）の斜視図に示すような形状の熱遮蔽部材１８の中央絞り込み部が、長手方向にスライド挿入して装着可能となっている。そして、その下に配置される加圧摺動板１９もこの下方アーチ部を通って所望の位置に設定されている。
【０００８】
このように構成された定着装置は、図７（Ａ）の断面図の構成により、まず、上ユニット中央のハロゲンヒータ１３ａから輻射光が発せられると、金属加圧ステー１６の上部の開口部分を介して約上半分の定着フィルム内面が直接輻射加熱される。一方、定着ニップ部の上流部と下流部の金属加圧ステー１６及びフィルムガイド１７は、熱遮蔽部材１８によって輻射光を直接受けずに昇温が抑制される。そして、熱遮蔽部材１８自身は、昇温して加圧摺動板１９との接触部において伝熱作用によって加圧摺動板１９を加熱する。
【０００９】
そして、加圧摺動板１９の定着ニップ部と反対側は、輻射光が中央スリットから侵入して直接輻射加熱され、上記伝熱作用とともに加圧摺動板１９を昇温し、昇温した加圧摺動板によって定着ニップ部を通過する輻射加熱済みのフィルムを更に加熱する。このようにして、定着フィルム１３”が内面から加熱され、定着ニップ部を通過する記録材を加熱加圧して記録材上のトナー像を定着する。ここで、フィルム表面に加圧当接する外部当接型サーミスタ１３ｄによって、定着フィルム表面温度の変化を検知してハロゲンヒータ１３ａを制御する方法が用いられている。
【先行技術文献】
【特許文献】
【００１０】
【特許文献１】特開２００９−９３１４１号公報
【特許文献２】特開２００６−２５１４７９号公報
【発明の概要】
【発明が解決しようとする課題】
【００１１】
しかしながら、従来のような定着フィルム表面に直接当接させる外部当接型サーミスタ方式では、定着フィルム表面への安定したサーミスタ当接が困難となり、当接条件が微妙に変動し、検知温度が不安定となって結果として定着された画像の定着性も不安定化する。また、定着フィルム表面に付着したオフセットトナーが、サーミスタ当接部に蓄積され、傷や画像汚れの要因となる。また、外部当接型であるために装置の小型化がしにくい。
【００１２】
本発明の目的は、検知温度を安定化させると共に、表面に付着したオフセットトナーに影響されず、小型化に適した定着装置および画像形成装置を提供することにある。
【課題を解決するための手段】
【００１３】
上記目的を達成するため、本発明に係る定着装置は、第１の回転体と、前記第１の回転体に対向し前記第１の回転体と共に記録材上のトナー像を定着する定着ニップ部を形成する対向体と、前記第１の回転体を挟んで前記定着ニップ部と反対側に設けられる摺動板と、前記摺動板を加圧する加圧支持体と、前記加圧支持体と前記第１の回転体との間を断熱する断熱部材と、前記第１の回転体の内側に設けられる輻射発熱体と、前記断熱部材に保持され、前記輻射発熱体からの熱が遮蔽された状態で、前記第１の回転体の温度を検知する温度検知手段と、を有することを特徴とする。
【発明の効果】
【００１４】
本発明によれば、検知温度を安定化させると共に、表面に付着したオフセットトナーに影響されず、小型化に適した定着装置および画像形成装置を提供することができる。
【図面の簡単な説明】
【００１５】
【図１】本発明の第１の実施形態に係る定着装置を説明する図であり、（Ａ）は加圧ローラを不図示とした定着ユニット断面図、（Ｂ）は内部当接サーミスタ斜視図、（Ｃ）はサーミスタ固定用機能付きフィルムガイド斜視図である。
【図２】本発明の第２の実施形態に係る定着装置を説明する図であり、（Ａ）は加圧ローラを不図示とした定着ユニット断面図、（Ｂ）は先端延長型熱遮蔽板斜視図である。
【図３】本発明の第３の実施形態に係る定着装置を説明する図であり、（Ａ）は加圧ローラを不図示とした定着ユニット断面図、（Ｂ）は廂付き金属加圧ステー斜視図である。
【図４】本発明の第４の実施形態に係る定着装置を説明する図であり、（Ａ）は加圧ローラを不図示とした定着ユニット断面図、（Ｂ）廂付きフィルムガイド斜視図である。
【図５】本発明の第５の実施形態に係る定着装置を説明する図であり、（Ａ）は加圧ローラを不図示とした定着ユニット断面図、（Ｂ）は側面固定型内部当接サーミスタ及び信号線とサーミスタ収納部付き断熱部材とサーミスタ当接用切り欠き部付き大型加圧摺動板によるサーミスタ装着ユニット組み立て方法説明図、（Ｃ）、（Ｄ）は廂付き輻射光反射板とサーミスタ押さえ機能付き金属加圧ステーとサーミスタ装着ユニットの組み立て方法説明図である。
【図６】本発明の実施形態に係る定着装置を搭載した画像形成装置の全体構成を説明する図である。
【図７】従来例のハロゲンヒータ式フィルム加熱型定着装置の構成を説明する図であり、（Ａ）は定着装置断面図、（Ｂ）は加圧ステー斜視図、（Ｃ）は断熱樹脂ステー斜視図、（Ｄ）は熱遮蔽板及び加圧摺動板斜視図である。
【発明を実施するための形態】
【００１６】
以下、本発明の好ましい実施形態について、添付図面に基づいて詳述する。
【００１７】
《第１の実施形態》 
（画像形成装置）
図６は、本発明の実施形態に係る定着装置を搭載した画像形成装置として、電子写真方式のモノクロプリンタの全体構成を示す図である。図６では、像担持体としての感光ドラム２の表面を帯電ローラ１で一様に所定の極性に帯電させた後、レーザー等の露光手段３によって感光ドラム２を露光した領域のみを除電して感光ドラム２上に静電潜像を形成する。
【００１８】
そして、現像器４内の現像剤としてのトナー５を、現像ブレード４ａと現像スリーブ４ｂの間で感光ドラム表面と同極性に摩擦帯電させ、感光ドラムと現像スリーブの対向部に搬送してＤＣとＡＣバイアスを重畳印加し、電界作用によって浮遊振動させて現像させる。そして、感光ドラム２上に選択付着させて形成されたトナー像部が、感光ドラム２の回転によって転写ローラ６と感光ドラム２で形成される転写ニップ部まで搬送される。
【００１９】
なお、ここまでの現像方法としては上記の非接触方式の他に弾性現像ローラを感光ドラムに接触させながらＤＣバイアスを印加してトナーを感光ドラムの潜像形成部に選択的に付着させる接触現像方式などもある。
【００２０】
一方、画像が記録される紙等の記録材７は、記録材収納箱7ａから給紙ローラ対７ｃによって垂直搬送ローラ対７ｄまで先端部が給紙された後、この垂直搬送ローラ対によって転写前搬送ローラ７ｅまで搬送される。更に、記録材はこの転写前搬送ローラによって転写ガイド板９に沿って予め規定された進入角度で転写ニップ部まで搬送される。そして、記録材表面の不要な帯電を取り除くための除電ブラシ８を搬送中の記録材の背面側に接して除電してから、転写ニップ部へと運ばれる。
【００２１】
転写ニップ部では、感光ドラム上の現像剤画像を静電的に引き付けて記録材側に移動させる。このために、トナーと逆極性の高電圧を記録材背面の転写ローラ６に印加しつつ、記録材裏面をトナーと逆極性に帯電してトナーを保持し続けるための転写電荷を記録材の裏面に付与する。
【００２２】
最後に、トナー像が転写された記録材は、第１の回転体である加熱回転体１２と、第２の回転体である加圧ローラ１４で構成される定着装置１２の定着ニップ部まで搬送される。定着ニップ部では、予め設定されている定着温度を保持するように加熱回転体１３側に設けられた不図示の定温制御手段によって、定温制御されながら加熱及び加圧することでトナー像が定着される。
【００２３】
なお、トナー像転写後の感光ドラム２の表面には極性の異なるトナー等の付着物が僅かに残る。このため、転写ニップ部を通過した後の感光ドラム２の表面は、クリーニング容器１０と、感光ドラム表面にカウンター当接されるクリーニングブレード１０ａとによって付着物が掻き落とされる。そして、このように清掃された後、次の画像形成に備えて待機する。
【００２４】
以上の工程は単色のトナーを用いる場合であるが、複数のカラートナーを用いるカラープリンタの場合には、一つの感光ドラム上に複数のカラートナー像を現像したり、カラートナー数分の複数の感光ドラムを用いている。
【００２５】
カラープリンタの転写には、中間転写ベルト上に多重転写した後に一括して記録材上に２次転写する方式や、記録材を転写ベルト上に吸着搬送しながら記録材上に多重転写する方式など、記録材上にトナー像を形成するまでの過程には多様な方式がある。
【００２６】
いずれの転写方式においても、転写された記録材上のトナー像を固定するためにはトナーを加圧加熱して記録材上に固着する定着装置を介して最終的に印刷を終える点は共通である。
【００２７】
（定着装置）
図１（Ａ）乃至（Ｃ）は、本発明の第１の実施形態に係る定着装置の構成を示すものである（但し、図７に示した加圧ローラ１４は本実施形態でも用いられるが、図１では不図示としている）。本実施形態では、図７で説明した従来構成における断熱性のハロゲンヒータ用フィルムガイド１７の替りに、定着フィルム内面の温度検知が可能な内部当接型サーミスタ２５を収納する断熱性フィルムガイド１７’を用いることを特徴としている。
【００２８】
図１（Ａ）で、輻射発熱体としてのハロゲンヒータ１３ａから輻射光が発せられると、金属加圧ステー１６の上部の開口部分を介して約上半分の定着フィルム１３”の内面が直接輻射加熱される。一方、定着ニップ部の上流部と下流部の加圧支持体としての金属加圧ステー１６及び断熱性フィルムガイド１７は、熱遮蔽部材１８によって輻射光を直接受けずに昇温を抑制される。そして、熱遮蔽部材１８自身は、昇温して加圧摺動板１９との接触部において伝熱作用によって加圧摺動板１９を加熱する。
【００２９】
そして、加圧摺動板１９の定着ニップ部と反対側は、輻射光が中央スリットから侵入して直接輻射加熱され、上記伝熱作用とともに加圧摺動板１９を昇温させる。そして、昇温した加圧摺動板１９によって、定着ニップ部を通過する輻射加熱済みの定着フィルム１３”を更に加熱する。このようにして、定着フィルム１３”が内面から加熱され、定着ニップ部を通過する記録材を加熱加圧して記録材上のトナー像を定着する。
【００３０】
本実施形態では、熱遮蔽部材１８と加圧摺動板１９がともに厚さ０．５ｍｍのアルミ板金で形成され、更に加圧摺動板１９では定着フィルム１３”の内面と摺擦する面側に耐熱性フッ素樹脂塗装が施されている。そして、厚さ１．６ｍｍの亜鉛メッキ鋼板からなる金属加圧ステー１６及び液晶ポリマーで構成される断熱性フィルムガイド１７’を備える。そして、断熱性フィルムガイド１７’ の定着ニップ部下流側底面部に内部当接型サーミスタ２５を収納する。
【００３１】
内部当接型サーミスタ２５の収納位置は、輻射加熱源であるハロゲンヒータ１３ａからの輻射光を直接受けにくい位置とする。具体的には、図１（Ａ）に示すように、ハロゲンヒータ１３ａからの輻射光が断熱性フィルムガイド１７で遮光され、熱遮蔽されるよう、断熱性フィルムガイド１７の底部であって定着ニップ部の下流側の位置となっている。このように配置された温度検知部（サーミスタ２５の先端部）は、定着フィルム１３”の内面に接触（当接）して、定着フィルム１３”の内側より定着フィルム１３”の温度を検知する。
【００３２】
この内部当接型サーミスタ２５は、図１（Ｂ）のように定着フィルム内面と同一方向の湾曲部を有する板バネ板金先端部に、耐熱フィルムで保護されたサーミスタ検知部２５ａを有する。また、固定用ボス及びボス穴を有するサーミスタ台座部２５ｂを有する。
【００３３】
そして、図１（Ｃ）に示すように、断熱性フィルムガイド１７’には、サーミスタの温度検知先端部を定着フィルム内面に当接するためのサーミスタ当接用開口部１７’ａが長手方向中央部に設けられる。更に、断熱性フィルムガイド１７’には、サーミスタ台座部２５ｂを固定するための台座固定用溝部１７’ｂと、信号配線２５ｃを収納するための配線用溝部１７’ｃが設けられている。配線用溝部１７’ｃは、断熱性フィルムガイド１７’の長手方向のいずれの方向にも引き出し可能にする、且つ定着ニップ部の周辺部材の熱容量の長手方向対称性を維持するために、長手方向全域に渡って形成されている。
【００３４】
ここで、サーミスタ２５の断熱性フィルムガイド１７’への具体的な装着方法を示せば、以下の通りである。即ち、図１（Ｃ）のように、サーミスタ先端部をサーミスタ当接用開口部１７’ａを介して定着フィルム１３”の内面に当接させた後、台座固定用溝部１７’ｂにサーミスタ台座部２５ｂを嵌め込み、配線用溝部１７’ｃにサーミスタの信号配線２５ｃを収納する。そして、断熱性フィルムガイド１７’と同じ材料で構成される上蓋としてのサーミスタ配線カバー２５ｄで台座固定用溝部１７’ｂを覆った後、上から金属加圧ステー１６で加圧固定させる。
【００３５】
以上、本構成を用いることにより、簡易な設定でハロゲンヒータ式フィルム加熱型定着装置における断熱性フィルムガイド１７’の内部にサーミスタを保持させることができる。そして、輻射加熱によるサーミスタの自己昇温を招くこと無く、定着フィルムの回転軌道が安定しやすい定着ニップ部近傍（下流側）で、外部から加圧当接するよりも周長の制約によって機械的に加圧変形を生じにくいフィルム内部から加圧当接する。これにより、定着フィルム内面の温度を安定して検知することが可能となる。
【００３６】
なお、上記構成において、各材料については、類似の持性を有していれば他の材料を使用しても良く、輻射加熱源としても必ずしもハロゲンヒータに限定されるものではなく他の輻射加熱源を用いても同様の効果が得られることは言うまでもない。
【００３７】
なお、上述したサーミスタ配線用の溝部１７’ｃは、断熱性フィルムガイド１７’における周辺の熱容量が溝部１７’ｃの熱容量に比べて十分大きい場合や、定着ニップ部から十分離れた位置に形成される場合は、片側方向のみに形成しても良い。また、配線カバー２５ｄについても、上述した各熱遮蔽部材の効果によって配線２５ｃの昇温が配線部材の耐熱温度以下に抑制されていれば、省略することができ、その場合には金属加圧ステー１６のみで押さえ込んで固定するだけの構成となる。
【００３８】
従来例では、定着ニップ部の上流側にサーミスタが設けられており、サーミスタが定着フィルムに当接すると加熱済みのフィルムの温度を局所的に奪うことになり、定着ニップ部内で定着フィルムに局所的な温度ムラを生じたまま定着することとなる。これに対し、本実施形態では、定着ニップ部の下流側にサーミスタ（温度検知部）が設けられているため、均一な定着を行うことができる。
【００３９】
《第２の実施形態》 
図２（Ａ）、（Ｂ）は、夫々本発明の第２の実施形態に係る定着装置の定着上ユニット構成、延長熱遮蔽部材１８’の特徴を示すものである。図１で説明した第１の実施形態の構成に対し、内部当接型サーミスタ２５を当接する側の熱遮蔽部材１８の上端部を延長した延長熱遮蔽部材１８’を用い、更なる改良を図ったものである。
【００４０】
即ち、延長熱遮蔽部材１８’に関し、定着フィルム１３”の内面との隙間を極力小さくして、定着フィルムとの近接位置で隙間が０．５ｍｍ以下に収まるように構成している。そして、定着動作中に定着フィルム１３”の軌道変化によって定着フィルム１３”の内面と軽圧に接触しても定着フィルム１３”の内面を傷つけないように、上端部の板金角部に丸め加工を施している。
【００４１】
第１の実施形態では、定着フィルム１３”の内面と熱遮蔽部材１８との間には、３ｍｍ以上の十分な隙間が確保されていた。ここで、定着フィルム１３”の内面は基本的に黒塗り塗装されており、不要な反射を招きにくい構成となっているものの、使用回数が大きくなると耐久劣化により定着フィルム１３”の内面に摺擦傷が生じることは避けられない。その結果、部分的に塗装部が剥がれる可能性がある。塗装部が剥がれると、定着フィルム１３”の輻射熱吸収性能が低下するとともに、図１における熱遮蔽部材１８と定着フィルム１３”の内面との隙間が大きい場合には、この隙間から輻射光の一部が侵入する。
【００４２】
すると、塗装の剥がれた金属表面の露出した定着フィルム１３”の内面で反射されて、サーミスタ当接部に照射されてしまう可能性が考えられる。このため、本実施形態では、この熱遮蔽部材と定着フィルム１３”の内面との距離を定着フィルム１３”を傷つけない範囲で可能な限り近接させることで、サーミスタ当接部が輻射加熱されてしまい自己昇温による温度検知誤差を生じてしまう可能性を回避させている。
【００４３】
なお、この延長熱遮蔽部材１８’は、定着フィルム１３”に照射される輻射光の長手方向のばらつきを生じないように、サーミスタ当接部である延長部および延長部以外の領域を含めた長手方向全域に渡って均一に設けられている（図２（Ｂ））。
【００４４】
以上、本構成を用いることにより、簡易な変更でハロゲンヒータ式フィルム加熱型定着装置の内部にサーミスタを設定しても輻射加熱によるサーミスタの自己昇温の可能性を回避し、装置の使用量によらず長期間安定した正しい温度検知をすることができる。
【００４５】
《第３の実施形態》 
図３（Ａ）、（Ｂ）は、夫々本発明の第３の実施形態に係る定着装置の定着上ユニット構成、金属加圧ステー１６’の特徴を示すものである。本実施形態では、第２の実施形態と同様の目的で、第２の実施形態における延長熱遮蔽部材１８’の代わりに、定着フィルム１３”側に湾曲延長した金属ステー廂部１６’ａを備える廂付き金属加圧ステー１６’を用いる。
【００４６】
そして、定着動作中に定着フィルム１３”の軌道変化によって定着フィルム１３”の内面と軽圧に接触しても定着フィルム１３”の内面を傷つけないように、上端部である金属ステー廂部１６’ａの板金角部に丸め加工を施している。
【００４７】
なお、金属ステー廂部１６’ａは、定着フィルム１３”に照射される輻射光の長手方向のばらつきを生じないように、サーミスタ当接部である延長部および延長部以外の領域を含めた長手方向全域に渡って均一に設けられている（図３（Ｂ））。
【００４８】
以上、本構成を用いることにより、簡易な変更でハロゲンヒータ式フィルム加熱型定着装置の内部にサーミスタを設定しても輻射加熱によるサーミスタの自己昇温の可能性を回避し、装置の使用量によらず長期間安定した正しい温度検知をすることができる。
【００４９】
《第４の実施形態》 
図４（Ａ）、（Ｂ）は、夫々本発明の第４の実施形態に係る定着装置の定着上ユニット構成、断熱性フィルムガイド１７”の特徴を示すものである。本実施形態では、第２の実施形態と同様の目的で、第２の実施形態における延長熱遮蔽部材１８’の代わりに、断熱性フィルムガイド１７”を用いる。
【００５０】
断熱性フィルムガイド１７”は、定着フィルム１３”側に湾曲延長したベース部１７”ｂと、ベース部１７”ｂの長手方向における中央部にあって定着フィルム１３”側の先端部を丸く加工したフィルムガイド廂部１７”ａを有する。ここで、ベース部１７”ｂは、定着フィルム１３”に照射される輻射光の長手方向のばらつきを生じないように、長手方向全域に渡って均一に設けられている（図４（Ｂ））。
【００５１】
以上、本構成を用いることにより、簡易な変更でハロゲンヒータ式フィルム加熱型定着装置の内部にサーミスタを設定しても輻射加熱によるサーミスタの自己昇温の可能性を回避し、装置の使用量によらず長期間安定した正しい温度検知をすることができる。
【００５２】
《第５の実施形態》 
図５（Ａ）乃至（Ｄ）は、本発明の第５の実施形態に係る定着装置の定着上ユニット構成と内部当接サーミスタ及びその取り付けと加圧部材への固定方法の特徴を示すものである。本実施形態では、第２の実施形態と同様の目的で、第２の実施形態における延長熱遮蔽部材１８’の代わりに、廂付き反射板２２’を用いる。ハロゲンヒータと断熱部材との間にあって、上述した実施形態の熱遮蔽部材は、ハロゲンヒータからの輻射光を遮断して熱遮蔽したが、本実施形態における反射部としての廂付き反射板２２’は、ハロゲンヒータからの輻射光を反射して熱遮蔽する。
【００５３】
廂付き反射板２２’は、定着フィルム１３”側に延長され、定着フィルム１３”の軌道変化によって定着フィルム１３”の内面と接触しても定着フィルム１３”の内面を傷つけないように、先端部（反射板廂部）２２’ａを定着フィルムの回転方向に湾曲させている。
【００５４】
更に、第１乃至第４の実施形態では、温度検知手段であるサーミスタの取り付け台座を水平（横向き）としたが、本実施形態では縦向きとしている。即ち、本構成では断熱部材２４’の底面部の厚さが薄いため、サーミスタ取り付け位置を断熱部材２４’の側壁部に縦置きとなるように配置している。このために、図５（Ｂ）のように、サーミスタ側の台座部も縦方向に収納可能な形状に変更した縦置きサーミスタ台座２６ｂを有する縦置きサーミスタ２６を用いる。
【００５５】
ここで、定着フィルム１３”の内面と当接（接触）する縦置きサーミスタ２６の配置を説明すれば、以下の通りである。即ち、図５（Ｃ）に示すように、先ず、縦置きサーミスタ２６は、縦置きサーミスタ用断熱部材２４’の中央切り欠き部２４’ａに形成された溝部に沿って挿入されることで断熱部材２４’の側壁部に装着される。そして、縦置きサーミスタ用配線部２６ｃも断熱部材の側壁に設けられた配線用溝２４’ｂに収納されて一体化される。その後、サーミスタ用切り欠き部２５’ａを有する縦置きサーミスタ用加圧摺動板２５’の上に重ねることで、１つのユニットとして取り扱い可能となる。
【００５６】
なお、配線用溝２４’ｂは、長手方向の左右に延長せずに片側のみに形成している。これは、第１の実施形態の構成よりも溝形成位置が定着ニップ部から遠く、画像を定着される記録材とも対向しない面に形成され、長手方向の断熱部材の熱容量の対称性を配慮する必要がないと判断されるからである。
【００５７】
次に、上述した１つのユニットの上に、図５（Ｄ）に示すように、金属加圧ステー２３’の側壁部における中央部にサーミスタ固定用突起部２３’ａを有するサーミスタ固定機能付き金属加圧ステー２３’を乗せて加圧する。これにより内部サーミスタを固定し、さらにその上に廂付き反射板２２’を乗せることで、定着ユニット内部の主要部が組み立てられる。
【００５８】
ここで、定着ニップ部を均一に加圧するため、金属加圧ステー２３’の底面が加圧摺動板２５’と密着した状態で固定される。そして、サーミスタ固定用突起部２３’ ａの最終的な高さ方向の位置は、サーミスタ台座２６ｂの挿入可能な最下点における台座２６ｂの上面の位置より０．５ｍｍ程度高い位置で停止するよう構成されている。なお，サーミスタ台座２６ｂは、最大０．５ｍｍ幅で上下に可動となるが、この程度変動しても温度検知精度の影響は無視できる。
【００５９】
（変形例）
上述した実施形態では、本発明の好ましい実施形態を説明したが、本発明はこれに限定されず、本発明の範囲内で種々の変形が可能である。
【００６０】
（変形例１）
上述した実施形態では、ハロゲンヒータと断熱部材である断熱性フィルムガイドとの間にあって、ハロゲンヒータからの輻射光を遮断もしくは反射して熱遮蔽する熱遮蔽部材としての部材１８や部材２２’を設けたが、これらの熱遮蔽部材が無くても良い。即ち、温度検知手段の温度検知部（サーミスタの先端部）が、断熱性フィルムガイドに保持されるにあたり、断熱性フィルムガイド自体によって熱遮蔽される位置（断熱性フィルムガイドに内蔵された位置）に保持されても良い。
【００６１】
ここで、熱遮蔽部材１８が有る場合には、熱遮蔽部材１８が昇温して加圧摺動板１９との接触部において伝熱作用によって加圧摺動板１９を加熱する機能を備えていたところ、
熱遮蔽部材１８が無い場合には、このような加熱の減少を補うことが好ましい。即ち、ハロゲンヒータ１３ａから定着フィルム内面を直接輻射加熱する量を増やすように、例えば
ハロゲンヒータ１３ａの個数を増やしたり、ハロゲンヒータ１３ａの印加電圧を上げたりすることが好ましい。
【００６２】
（変形例２）
第２乃至第５の実施形態において、輻射光を遮蔽する各遮蔽部材の定着フィルム側の先端部は、基本的に定着フィルムと非接触な範囲で可能な限り近接配置させた。しかし、各遮蔽部材の先端部は、定着フィルムの内面を傷付けないよう丸め加工されているため、許容範囲内の接触圧で常時定着フィルムの内面と各遮蔽部材を接触させても良い。例えば、定着フィルム両端部に設けられる不図示のフランジ部材によって、定着フィルムの回転軌道を各遮蔽部材と許容範囲内の接触圧となるように規制することにより行えば良い。
【００６３】
また、第２乃至第５の実施形態において、輻射光を遮蔽する各遮蔽部材は、必ずしも１種類の部品を使用する場合に限らず、複数の部品、複数種類の部品を組み合わせて使用することができる。
【００６４】
（変形例３）
上述した実施形態では、温度検知部（サーミスタの先端部）は、定着フィルム１３”の内面に接触（当接）したが、定着フィルム１３”の内面に近接して、定着フィルムの内側より温度検知するようにしても良い。
【００６５】
（変形例４）
上述した実施形態では、無端ベルトが第１の回転体（定着回転体）に設けられたが、無端ベルトが第２の回転体（第１の回転体に対向し第１の回転体と共に定着ニップ部を形成する回転体）に設けられても良い。また、無端ベルトが第１の回転体、第２の回転体の双方に設けられても良い。
【００６６】
（変形例５）
上述した実施形態では、第１の回転体（定着回転体）および加圧体としての加圧用回転体が定着回転体を加圧する場合を示した。しかしながら、本発明はこれに限定されず、加圧体としてでなく対向体としての回転体が定着回転体としての無端ベルトから加圧される場合にも同様に適用できる。ここで、対向体とは、定着回転体に対向し、定着回転体と圧接して定着ニップ部を形成し、移動する記録材を定着ニップ部で挟持する部材である。
【００６７】
（変形例６）
上述した実施形態では、加圧体として定着回転体と共に回転する加圧用回転体（加圧ローラ）を示したが、本発明はこれに限られず、加圧体として固定された平板状の加圧パッドを適用することもできる。
【００６８】
（変形例７）
上述した実施形態では、記録材として記録紙を説明したが、本発明における記録材は紙に限定されるものではない。一般に、記録材とは、画像形成装置によってトナー像が形成されるシート状の部材であり、例えば、定型或いは不定型の普通紙、厚紙、薄紙、封筒、葉書、シール、樹脂シート、ＯＨＰシート、光沢紙等が含まれる。なお、上述した実施形態では、便宜上、記録材（シート）Ｐの扱いを、給紙などの用語を用いて説明したが、これによって本発明における記録材が紙に限定されるものではない。
【００６９】
（変形例８）
上述した実施形態では、未定着トナー像をシートに定着する定着装置を例に説明したが、本発明は、これに限らず、画像の光沢を向上させるべく、シートに仮定着されたトナー像を加熱加圧する装置（この場合も定着装置と呼ぶ）にも同様に適用可能である。
【符号の説明】
【００７０】
１３”・・定着フィルム、１３ａ・・ハロゲンヒータ、１４・・加圧ローラ、１６・・金属加圧ステー、１７’・・断熱性フィルムガイド、１８・・熱遮蔽部材、１９・・加圧摺動板、２２’・・廂付き反射板、２５・・内部当接型サーミスタ
【図１】
2015172672.tif 000003
【図２】
2015172672.tif 000004
【図３】
2015172672.tif 000005
【図４】
2015172672.tif 000006
【図５】
2015172672.tif 000007
【図６】
2015172672.tif 000008
【図７】
2015172672.tif 000009